(57)【要約】      （修正有）【課題】霧または霞から、液滴を収集するために、調整された大きさの液滴形成を促進するために好適な表面を提供する。【解決手段】液滴３５の形成を促進するのに適する表面３０を提供し、それは、液滴の直径が、液体吸引性材料の最小寸法の大きさによって調整されるように、表面を横切る少なくとも１つの方向に交互に存在する液体反発性材料３２の部分と液体吸引性材料３３の部分とを有する。その表面３０は、きめ付けおよび／またはパターン形成することができる。また、上記表面３０全体に蒸気を送るステップを含む、蒸気によって運ばれる、または、蒸気から凝縮される液体３５を収集する方法およびシステム、ならびに、液滴を含有する蒸気を上記表面に送ることによって液体を浄化する方法も開示している。【選択図】図４
2007170169.tif 000002
【特許請求の範囲】
【請求項１】
液滴の直径が、液体吸引性材料の最小寸法の大きさによって調整されるように、表面を横切る少なくとも１つの方向に交互に存在する液体反発性材料の部分と液体吸引性材料の部分とを有している、液滴の形成を促進するのに適する表面。
【請求項２】
液体吸引性のそれぞれの部分が、液体吸引性の他の部分から隔離している請求項１に記載の表面。
【請求項３】
表面が、液体吸引性材料の部分が液体反発性材料の部分に対して突出するように構成されている請求項１または２に記載の表面。
【請求項４】
交互にある部分が、縞のあるパターンを形成している請求項１から３のいずれかに記載の表面。
【請求項５】
液体反発性材料が、格子を形成している請求項４に記載の表面。
【請求項６】
液体反発性材料が、ワックス状物質である請求項１から５のいずれかに記載の表面。
【請求項７】
前記液体吸引性材料の最小寸法が、１５０μｍより大きい請求項１から６のいずれかに記載の表面。
【請求項８】
前記液体吸引性材料の最小寸法が、少なくとも６００μｍである請求項１から７のいずれかに記載の表面。
【請求項９】
前記液体吸引性材料の最小寸法が、最大５ｍｍである請求項１から８のいずれかに記載の表面。
【請求項１０】
前記液体吸引性材料の最小寸法が、６００〜８００μｍの範囲である請求項１から９のいずれかに記載の表面。
【請求項１１】
前記液体吸引性材料の最小寸法が、前記１つの方向にある請求項１から１０のいずれかに記載の表面。
【請求項１２】
表面の液体吸引性部分および液体反発性部分の配置が、表面に沿って引いた任意の線に沿って、前記１つの方向内に液体吸引性部分と液体反発性部分が交互に存在するようになっている請求項１から１１のいずれかに記載の表面。
【請求項１３】
実質的に平面である請求項１から１２のいずれかに記載の表面。
【発明の詳細な説明】
【技術分野】
【０００１】
本発明は、表面上で液滴の大きさを調整する方法で液滴の形成を促進するのに適切な前記表面に関するものである。本発明は、風に吹かれた霧または霞からのその液体の収集を可能にするために特に適する。
【背景技術】
【０００２】
ある材料は水を引き寄せ、一方、他の材料は水を活発にはじく表面を示すことはよく知られており、そのような材料は、それぞれ親水性および疎水性と言われている。さらに、水が引き寄せられたりはじかれたりするのは水が極性の液体であるという事実によること、およびいかなる類似の極性の液体もそのような表面によって同様の作用を受けることも知られている。油のような非極性の液体が、疎水性表面に引き寄せられ、親水性表面によってはじかれることもまた注目すべきである。
【０００３】
液体を収集して貯蔵することが重要な状況が多くある。そのような状況の１つは、乾燥した環境にあって容易に利用できる水源が存在しない場合である。別の状況としては、化学物質が蒸留の途中で蒸気の形態をしているときがそうであり得る。
【発明の開示】
【発明が解決しようとする課題】
【０００４】
本発明の目的は、調整された大きさの液滴形成を促進するために好適な表面を提供することである。さらなる目的は前記液滴を収集することである。
【課題を解決するための手段】
【０００５】
本発明の第１の態様によれば、液滴の形成を促進するために好適な表面は、液滴の直径が、液体吸引性材料の最小寸法の大きさによって調整されるように、表面を横切る少なくとも１つの方向に交互に存在する液体反発性材料の部分と液体吸引性材料の部分とを含んでいる。
【０００６】
液体が極性である場合、表面の親水性部分は極性の液体を引き寄せ、疎水性部分は極性の液体をはじく。液体が油である場合、疎水性部分は液体を引き寄せ、親水性部分は液体をはじく。
【０００７】
液体吸引性（ｌｉｑｕｉｄ  ａｔｔｒａｃｔｉｎｇ）部分の最小寸法（幅）は、形成される液滴の大きさを決定する。安定な液滴を得ることができる最大直径があり、それは液体吸引性部分の幅と関係がある。液体吸引性部分を分離している液体反発性部分は、隣接する液体吸引性部分の液滴との重なり合いを防ぐために、少なくとも同じ幅のものであることが好ましい。
【０００８】
好ましくは、液体吸引性部分は、液体をはじく基体上に分離した形の部分を取る（すなわち、各液体吸引性部分は、他の液体吸引性部分から隔離している）。それによって、液滴を分離して形成し、それらを平面にさせ、液体吸引性の基体とのそれらの表面接触面積を制限する（したがって、それらの表面への接着を制限する）ことが可能となる。
【０００９】
好ましい実施形態において、表面は、液体吸引性材料の部分が液体反発性材料の部分に対し突出して、織りがあるように構成されている。これにより、液滴が形成されたとき液体反発性部分に比して突出した位置を取り、特定の液滴の大きさが得られたとき、すなわち、液滴の直径がその最大の安定した大きさに到達したとき、液体吸引性材料からの液滴の脱離を促進することが可能となる。
【００１０】
前記の液体吸引性材料の部分の最小寸法は、好ましくは、１５０μｍより大きく、より好ましくは、２００μｍより大きく、ある用途に対しては、好ましくは、３００μｍ、４００μｍ、５００μｍより大きく、または少なくとも６００μｍでさえある。好ましくは、前記最小寸法は表面の前記１つの方向にある。前記最小寸法が前記１つの方向とは別の方向にある場合は、前記１つの方向内で、前記１つの方向にある液体吸引性材料の部分の最小寸法もまた、好ましくは、上記の好ましい最小の大きさ（１５０μｍ、２００μｍ、３００μｍ、４００μｍ、５００μｍより大きいか、または少なくとも６００μｍ）を有する。
【００１１】
前記表面は、好ましくは、実質的に平面である。また、その表面は、たとえば凹面または凸面のように屈曲しているか、または、屈曲している部分と実質的に平面の部分とが組み合わさっていてもよい。表面が実質的に平面であるというのは、この場合特に、たとえば表面上にはみ出ている表面から突き出ているかまたははみ出ている部分を持つ実質的に平面である表面を含む。
【００１２】
表面は、好ましくは、使用中水平面に対して傾斜するように設計する。これについては本発明の他の範疇を参照しながら以下でより詳細に説明する。ここで言及するのは特に表面が実質的に平面である場合、前記表面の前記１つの方向が、好ましくは、傾斜角を明確にする表面の方向であるからである。より詳細には、表面が傾斜しているとき、その傾斜角は、好ましくは、水平と前記１つの方向にある表面に沿って引いた任意の線の間の角度として定義される。
【００１３】
前記液体吸引性部分の最小寸法は、好ましくは、最大５ｍｍ、より好ましくは、最大４ｍｍであり、ある用途に対しては、好ましくは、最大、３ｍｍ、２ｍｍ、１ｍｍ、または、０．８ｍｍ（８００μｍ）である。
【００１４】
液体吸引性部分の最小寸法について述べる場合、これは一般的にはその部分の形に依存する幅である。したがって、たとえば、液体吸引性部分が縞の形をしている場合であれば、それは縞の幅である。同様に、液体吸引性部分が分離したドットの形をしている場合は、それはそのドットの幅または直径である。その他のより不規則な形に対しては、それはどんなものであっても任意の方向における最小寸法である。液体吸引性部分が多数存在する場合は、これらがすべて類似の形と大きさのものであることが好ましい。しかしながら、液体吸引性部分の形と大きさの組み合わせも使用することができるものと考えられる。
【００１５】
液体反発性部分は、好ましくは、少なくとも液体吸引性部分と同じ幅であり、できれば２倍の幅である。隣接する液体吸引性部分を分離する液体反発性部分の幅または間隔は、好ましくは、少なくとも４００μｍ、より好ましくは少なくとも６００μｍ、特別の場合少なくとも８００μｍ、または、少なくとも１ｍｍまたは２ｍｍでさえある。
【００１６】
上で述べたように液体吸引性部分の最小寸法により、表面に形成される液滴の直径は制御される。このことは、水平方向に対して傾斜している好ましい使用位置にあって実質的に平面である好ましい表面について考えることによって最もよく説明することができる。この方位の状態で、表面に隣接する蒸気からの小さな液滴が傾斜した表面に当たるとき、それらが液体吸引性部分に当たる場合、それらは液体吸引性部分に付着する液滴を形成することができるが、それらが液体反発性部分に当たる場合は、それらは傾斜した表面を最寄りの液体吸引性部分までころがり落ちるであろう。その液滴は、同じ液体吸引性部分に付着している他の液滴と一緒になって、その表面接触面積が液体吸引性部分を覆う点にそれが至るまで生長する。この大きさを超えると、液滴は接触面積の増加なしで質量が増え続け、その結果、その液滴は液体反発性部分に移動しなければならない。それが起こると表面接着力の増加なしで重力が増加し、下に向かう斜面を下る液滴の移動を引き起こす。表面が静かな環境にある場合は、液滴は斜面をまっすぐ落下するであろうが、表面が向かい風に当たっている場合はその液滴はその風によって表面全体で吹き乱され得る。表面の間隔および液体吸引性部分は、十分に大きくて、一旦液滴がまっすぐころがり落ちるほど十分重くなりさえすれば、向かい風に当たってさえも斜面をころがり落ちることが望ましい。
【００１７】
本発明の第２の態様によれば、蒸気が運ぶ、または蒸気から凝縮された液体を集める方法は、表面を横切り少なくとも１つの液体反発性材料部分と液体吸引性材料部分が交互に存在する表面である表面を横切って蒸気を送ることと、およびその表面上に形成した液滴を収集するために配置された収集手段によってその表面上に形成した液滴を収集することを含んでいる。
【００１８】
表面は、通常は、人造の表面であり、該方法には一般の環境条件を考慮した液滴の大きさを決定するように液体吸引性部分の最小寸法を選択する最初のステップが含まれてもよい。
【００１９】
本明細書を通して蒸気という用語は完全にガス状態である媒体およびガス状態であって液滴がガス中に浮遊してたとえば霧または霞を形成している媒体の両方を含めて使用している。
【００２０】
好ましくは、表面は水平面に対して傾斜している。これによって液滴がある種の容器である収集手段に向かって重力の影響下で流れることができるようにする。
【００２１】
本発明の第３の態様によれば、液体を収集するシステムは、表面を横切る少なくとも１つの方向に交互に存在する液体反発性材料の部分と液体吸引性材料の部分とを含む表面と、収集手段とを有しており、蒸気が表面に向かって移動すると蒸気中の液滴が表面で集合して大きな液滴となるので収集手段によってそれを収集する。
【００２２】
本発明による液体を集めるための好ましい方法およびシステムにおいて、表面は、水平面に対して、好ましくは、少なくとも５°、より好ましくは、少なくとも１０°の角度で傾斜させる。ある用途に対しては、表面は、好ましくは、少なくとも２０°、３０°、またはさらに４０°の角度で傾斜させる。好ましくは、表面は最大９０°、特に最大８０°、または、時には最大７０°で傾斜させる。この傾斜の角度は、液体吸引性部分の幅と同様に、表面で形成しつつある液滴がいつ収集用の斜面をころがり落ちるかを決める因子の１つである。
【００２３】
表面、ならびに液体を集めるための方法およびシステムは、表面を横断して移動している蒸気から液体を集めるために特に適用性がある。たとえばそれは向かい風における場合である。
【００２４】
さまざまな表面に落下する液滴の動きは、特に向かい風に向かって傾斜している場合、次のように説明することができる。全体が液体吸引性の表面または全体が液体反発性の表面に当たる蒸気を運ぶ向かい風の場合は、さまざまな大きさの液滴を表面に形成するであろうが、融合はしないであろう。液滴はしたがって向かい風のために表面上を無作為な方向に吹かれるであろう。本発明の表面の場合は、液体吸引性部分と液体反発性部分が交互に存在する部分が提供され、液滴は液体吸引性部分に当たってそこに留まるかまたは最初に液体反発性部分に降りた場合は最寄りの液体吸引性部分にころがるであろう。これらの液滴はもはや液体吸引性部分への積み込みが不可能になるほど大きくなるまで融合する。この時点でそれらは（表面が傾斜していれば）ころがり去る。
【００２５】
表面が傾斜している場合、どんな向かい風にも向き合うように傾斜しているのが好ましい。本発明による標準的な好ましい向かい風は、最大で、または、ほぼ、５ｍ／秒、１０ｍ／秒、１５ｍ／秒、または２０ｍ／秒といったところである。向かい風は、表面に形成されつつある液滴が収集に向けて傾斜を何時転がり落ちるかに影響する別の因子であって、向かい風が液滴の大きさおよび表面の斜面の角度に対して強すぎると、液滴は収集に向けてまっすぐころがり落ちるのではなく、表面上を無作為に吹かれて飛び散ることになるであろう。
【００２６】
「向かい風」とは、自然の環境内か、または、蒸留装置または除湿装置のような管理された環境内のことでありうる。
【００２７】
好ましくは、液体吸引性部分の最小寸法は、液滴が、その管理されたやり方において、傾斜をころがり落ちる前に向かい風に向かってさえも傾斜をまっすぐころがり落ちるのに十分な重量となる十分な大きさに常に成長するように、さまざまな向かい風の中でさまざまの適切な傾斜によって使用することができるように選択する。
【００２８】
表面の液体吸引性部分と反発性部分の配列は、前記１つの方向内の表面に沿って引いた任意の線に沿って液体吸引性部分と反発性部分が交互に存在することが好ましい。前記１つの方向は、この配列によって前記１つの方向内の傾斜をころがり落ちる液滴がころがるときに常に液体吸引性部分と出会うように、水平方向と共に傾斜の角度を限定する方向であることが好ましい。この配列は、たとえば、液体吸引性部分と反発性部分が好ましくは前記１つの方向と直角に交差する縞によって提供することができる。他の例としては、周囲が液体反発性材料の中の液体吸引性部分の分離した部分、たとえばドットがあると言えよう。その液体吸引性の分離した部分は、前記１つの方向に対して互いに横になって分離して置かれている。したがって、隣接する列のドットは、その道に沿って液滴が吹き飛ばされることがある、液体反発性部分のはっきりとした「上り坂の」道とならないようにそれぞれ互い違いに配列する。
【００２９】
本発明による液体を収集する方法および本発明による液体を収集するシステムにおいて、実質的に全部の液体を収集手段に導く通路は、好ましくは、液体吸引性部分と液体反発性部分の両方を横切る。
【００３０】
液体を収集する前述の方法および／またはシステムは、乾燥した／砂漠のような環境で使用しているかまたは使用しようとする、１週間当たり少なくとも１００ｍｌ、好ましくは、少なくとも０．５ｌ、そして理想的には、少なくとも１ｌを収集するよう適応させた水の収集方法またはシステムであってもよい。
【００３１】
本発明の４番目の態様によれば、表面全体に液体を広げる方法は、表面を横切る少なくとも１つの方向に交互に存在する液体反発性材料の部分と液体吸引性材料の部分とを有する表面を提供するステップと、その表面に液体を置くステップと、広げる手段を使用して表面全体にその液体を広げるステップとを含む。
【００３２】
好ましくは、液体吸引性材料部分は、パターンを備えており、それによって、表面にシート状の印刷材料を置くと、液体吸引性材料の配置によって生成したパターンが、シート状の印刷材料に転写される。
【００３３】
先に記述したように表面を調整することによって、表面を傾けたときまたは過剰の液体を取り除く別の処理をしたとき、液体吸引性部分で保持される液滴の最大の大きさを指定することが可能であり、それゆえ、たとえばインクである液体の密度と分布を指定することが可能である。
【００３４】
パターンの部分は、連続した液体吸引性部分によって、より好ましくは、たとえば液体反発性部分に取り囲まれている多数の液体吸引性のドットである多数の分離した液体吸引性部分によって作ることができる。後の形態はたとえばインクである液体の密度と分布をよりよく制御できる。
【００３５】
上で記した表面は自浄性であり得るという付加的な利点を有する。その表面は液滴の形成を促進し、その液滴は重力の影響の下で振り向けられる。液滴が表面上を移動するとき小さい粒子がその液滴によって拾われ、そのようにして表面から取り除かれる。
【００３６】
さらなる態様において、本発明は、上で記した収集システムを形成するように組み立てることができる、表面と望ましい傾斜で表面を支持する支持手段と収集手段とを備えている水収集キットを提供する。そのキットは、携帯用サバイバルキットの一部を形成することができる。
【発明を実施するための最良の形態】
【００３７】
本発明の多数の実施形態をここで図面を参照しながら実施例のみについて説明する。
【００３８】
図１は、疎水性部分２および親水性部分３を有する表面１を示す。
【００３９】
疎水性部分２および親水性部分３は、表面１全体に交互にあって縞のあるパターンを形成している。風に吹き飛ばされる霧から水を収集するために有効な表面は、疎水性の基体上に最低８００ミクロンの間隔を置いて区切った６００から８００ミクロンの幅の親水性部分からなる。これによって、傾斜した表面上の重力の影響下で、中程度の向かい風の中に液滴を落とし込むことができる大きさの液滴を形成させることができる。
【００４０】
図２は、疎水性部分１２および親水性部分１３を有する表面１０を示す。
【００４１】
疎水性部分１２は、表面１０全体に格子構造を形成する。親水性部分１３は、疎水性部分１２より高く盛り上がり、織りのあるざらざらした表面を形成する。表面１０の上に蒸気を送ると、蒸気中の液滴が親水性部分１３に吸引される。一定の時間の後、蒸気中の小さい液滴が表面上で結合するのに従って、より大きい液滴が親水性部分１３上に形成し始める。その液滴が一定の大きさに到達すると、それらは重力の影響で１つの親水性部分１３ａから他の親水性部分１３ｂに移動する。
【００４２】
図３ａから３ｄは、疎水性部分２２および親水性部分２３を有する水平面に対して傾斜したざらざらした織りのある表面２０を示す。
【００４３】
親水性部分２３は、疎水性部分２２と比較して突出している。風に吹かれる蒸気からの小さな液滴が傾斜した表面２０に当たると、それらは親水性表面２３に付着した液滴２４を形成することができる。そのようにして液滴は成長し（表面に付着する他の液滴と合体するかまたは大きくなるかして）、液滴は、それらの表面との接触面積が、図３ｂの２５に示すように親水性部分２３を覆う点まで到達するであろう。この大きさを超えると、図３ｃの２６で示すように、液滴は表面との接触面積の対応する増加なしで質量が増え続け、その後それらは、図３ｄの２７で示すように、表面の水をはじく疎水性部分内まで拡大しなければならない。これが起きると液滴の重力が表面接着の対応する増加なしで増加し、結局液滴は傾斜を下に移動する。表面の傾斜、親水性部分の大きさと間隔、および表面部分の正確な疎水性度および親水性度を調整することによって、風に吹かれる霧または霞の向かい風にころがり込むことのできる直径に調整した液滴を形成することができ、それを傾斜した表面の最下部で収集することができる。蒸留の途中等の一定の管理された環境においては、風速もまた管理し、調整することができる。
【００４４】
疎水性表面に当たる小さな液滴は、直後はその表面全体で自由にころがるであろうが、それらの寸法が小さいために、恒風に吹き飛ばされやすく、表面からあっさりとはねて蒸気の中に戻ることができることに注意すべきである。表面が全部親水性であれば、液滴は移動するとしてもひどくでたらめな仕方で移動するフィルムを形成し、水収集方法の速度と効率を制限する。
【００４５】
上記の調整された表面を液滴が移動するときは、液滴はまた、それらの移動の方向および速度に影響する表面の引き寄せが十分である親水性部分によって導くこともできる。これは、液体吸引性部分が疎水性表面の上に溝または縞を形成した場合に特に当てはまる。
【００４６】
上で記したような織目のあるざらざらした表面は、さまざまな技術を使用して製造することができる。清浄な（油の付着していない）ガラス表面は、親水性であり、それゆえ、ガラスはワックス等の疎水性材料と組み合わせることにより適当なパターンを生み出すことができる。直径８００ミクロンのガラスビーズをワックスのフィルム中に部分的に埋め込み、疎水性基体上に親水性半球の配列をつくることができる。清浄なガラス表面は、ヘキサメチルジシラザン等の材料にさらすことによって疎水性にすることができ、これをコンタクトマスクと組み合わせて使用することにより、親水性部分の適当なパターンをつくることができる。表面の織目は、プラスチックの成形およびホットプレス等の技術によって達成することができ、それは後から親水性／疎水性の表面コーティングで処理することができる。
【００４７】
図４は、疎水性部分３２および親水性部分３３の表面３１を有する液体３５を収集するのに適した織目のある表面３０の概略の断面図を示す。収集器３４が表面の下部に配置されている。
【００４８】
蒸気が表面３０上に送られると蒸気中の液滴は親水性の部分３３に引き寄せられる。しばらく時間が経って次から次に蒸気からの小さな液滴が表面に吸引されるに従い大きな液滴が生成し始める。その液滴がある大きさに達すると、それらは重力の影響のもとに移動する。親水性部分３３は、収集器３４に向かって細くなっており、液滴は親水性部分を次から次へ移動する傾向があり、そのため多数の親水性部分３３からの液体が１つの収集器３４に収集される。
【００４９】
上記の表面の用途としては、たとえば、液体を浄化する蒸留工程におけるものがあろう。蒸気を冷却し収集しなければならない場合、それはしばしば冷却システムに囲まれた管（たとえば、冷水が流れる第２の管）の中を通過する。蒸気は内側の管の壁で凝縮して収集器に流れ落ちる。この内側の壁で凝縮した蒸気はフィルムとなって残りの蒸気を冷たい表面から隔離するので、内側の管は時々疎水性の材料で被覆して凝縮した液滴が速やかに下に流れるように促す。しかしながら、小さな蒸気の液滴は、疎水性の壁から一層はね返されやすく、偏向して蒸気中に戻り、それゆえ収集工程を遅らせる。また、蒸気が特定の方向に運ばれる場合（たとえば、対流によって垂直のパイプを上昇する）、小さな液滴は蒸気の流れに逆らって下に落ちることはますますありそうにない。そのような用途に対して、上で記したもののようなざらざらとした織りのある疎水性／液体吸引性表面は、蒸留工程の効率を改良するであろう。
【００５０】
図５ａは、インクを引き寄せる部分５１およびインクをはじく部分５２を有する表面５０を示す。インクをはじく部分５２は、認識できる形を形成または明確にする。インク５４（図示されていない）は、表面５０全体に広がっている。
【００５１】
インク５４は、図５ｂで示すインクを引き寄せる部分５１に引き寄せられ、インクをはじく部分５２からはじかれる。これによりインク５４は、表面５０の上のインクを引き寄せる部分５１の中に存在するのみということが引き起こされる。表面５０の上に置かれたシート状の紙（図示されてはいない）は、表面５０から紙へのインクの転移、したがって、認識できる形またはそれの陰画の印刷をもたらす。
【００５２】
インクを引き寄せる部分およびインクをはじく部分がどちらであるかは、インクが油性であるか水性であるかに依存する。
【００５３】
図５ｃは、インクをはじく材料６０の取り巻きまたは素地の中に多数の高密度分布の不連続ドットで象ったインクを引き寄せる部分５１’を有する別の表面５０’を示す。インクをはじく材料６０の取り巻きまたは素地の中のこれらのインクを引き寄せる部分５１’は、パターン（図の中の文字「Ａ」）を形成している。そのパターンの部分は、前の実施形態におけるようにインクをはじく材料５２の背景の中である。インク５４（図示されていない）は、表面５０’全体に広げる。前の実施形態におけるように、インクは部分５１’に引き寄せられる。インクは部分６０および５２からはじかれる。「Ａ」のパターン中の液体吸引性部分５１’の分離したドットの性質は、図５ａおよび５ｂの実施形態の連続した液体吸引性部分５１と比較して、パターン上に保持されるインクの密度をよりよく管理する。そこで、そのパターンは、図５ａ／５ｂの実施形態におけるようにシート状の紙に転移することによって印刷することができる。
【図面の簡単な説明】
【００５４】
【図１】本発明による表面を示す斜めの概略図である。
【図２】本発明による別の表面を示す図である。
【図３ａ】本発明による織目のある表面を示す概略断面図である。
【図３ｂ】本発明による織目のある表面を示す概略断面図である。
【図３ｃ】本発明による織目のある表面を示す概略断面図である。
【図３ｄ】本発明による織目のある表面を示す概略断面図である。
【図４】本発明による液体収集に適する織目のある表面を示す概略断面図である。
【図５ａ】本発明による印刷の方法に適する表面を示す図である。
【図５ｂ】本発明による印刷の方法に適する表面を示す図である。
【図５ｃ】本発明による印刷の方法に適する別の表面を示す図である。
【図１】
2007170169.tif 000003
【図２】
2007170169.tif 000004
【図３ａ】
2007170169.tif 000005
【図３ｂ】
2007170169.tif 000006
【図３ｃ】
2007170169.tif 000007
【図３ｄ】
2007170169.tif 000008
【図４】
2007170169.tif 000009
【図５ａ】
2007170169.tif 000010
【図５ｂ】
2007170169.tif 000011
【図５ｃ】
2007170169.tif 000012